(57)【要約】【課題】漏洩磁界による携帯電話の誤作動を防止する携帯電話用外部スピーカを提供する。【解決手段】上端にコネクタとの結合のための結合孔が形成され、内部にスピーカを内蔵するための空間を有し、側面にスピーカから出力される音声を出力するための音声出力口が形成されたケースと、一部が外部に露出するようにケースの結合孔に結合され、携帯電話と取り外し可能に接続されるコネクタと、コネクタを通じて携帯電話と電気的に接続されて相手との通話のための音声を出力し、ケースの内部に内蔵したスピーカ及びスピーカの上端及び/または下端に位置するようにケース内に配置されスピーカから漏洩する漏洩磁界を遮断する遮蔽板を具備することで、携帯電話に耳を近づけなくても、外部スピーカを通じて相手と通話ができるだけではなく、相手との通話の途中で、外部スピーカの漏洩磁界による通話遮断のような携帯電話の誤作動が起きない。【選択図】  図４
2006042295.tif 000002
【特許請求の範囲】
【請求項１】
上端にコネクタとの結合のための結合孔が形成され、内部にスピーカを内蔵するための空間を有し、側面にスピーカから出力される音声を出力するための音声出力口が形成された上部が狭く下部が広い円錐状のケースと、
一部が外部に露出するように前記ケースの結合孔に結合され、携帯電話と機械的及び電気的に取り外し可能に接続されるコネクタと、
前記コネクタを通じて携帯電話の音声出力端と電気的に接続され相手との通話のための音声を出力し、前記ケースの内部に内蔵したスピーカ及び
前記スピーカの上端及び/または下端に位置するように前記ケース内に配置され前記スピーカから漏洩する漏洩磁界を遮断するための遮蔽板とを備えている、漏洩磁界による携帯電話の誤作動を防止する携帯電話用外部スピーカ。
【請求項２】
ケースは、上端にコネクタとの結合のための結合孔が形成され、内部に内蔵されたスピーカを支持するための支持部が内面下端に形成され、内面上端に前記スピーカの上端と一定の距離を有するように遮蔽板が付着した上部ケースと、
前記上部ケースと連通されるように上部ケースの外周に結合され、前記上部ケースに内蔵されたスピーカの外周を固定させる固定突起が内向きに形成された中間ケース及び
前記中間ケースとの間に音声出力のための音声出力口が形成されるように前記中間ケース外周に結合され、内面に前記スピーカの下端と一定間隔の隔離距離を有するように遮蔽板が付着した下部ケースとを備えている、請求項１に記載の漏洩磁界による携帯電話の誤作動を防止する携帯電話用外部スピーカ。
【請求項３】
携帯電話からスピーカに出力される音声が、出力前に、携帯電話内部で一定レベルまで増幅される、請求項１に記載の漏洩磁界による携帯電話の誤作動を防止する携帯電話用外部スピーカ。
【請求項４】
遮蔽板が、スピーカから漏洩する漏洩磁界の流れを案内するための磁石よりなる、請求項１に記載の漏洩磁界による携帯電話の誤作動を防止する携帯電話用外部スピーカ。
【請求項５】
上部ケースに形成された結合溝に取り外し可能に接続されたフックが内蔵され、前記上部ケースの外部に露出したコネクタを内部に収納することができる収納溝を有する保護キャップがさらに具備されている、請求項１若しくは２に記載の漏洩磁界による携帯電話の誤作動を防止する携帯電話用外部スピーカ。
【請求項６】
保護キャップは、フックの押さえ突起を外部に露出させるための露出孔が側面に形成され、コネクタを内部に収納するための収納溝が下端面に形成され、内部に収納されたコネクタを押さえるための振動防止部と前記フックを固定させるための固定部が内面に互いに異なる高さで水平に形成された円錐形状のケースと、
上部ケースの結合溝との結合のための係止突起が端部に外向きに形成され、外部でフックを作動させるための押さえ突起が側面に形成され、スプリングを固定するための固定突起が内面に形成された構造を有し、振動防止部を覆いながら係止突起が外部に露出するように固定部の間に設置されたフックと、
フック内面の固定突起の間に挟まれ前記フックが側方向に伸びるように弾性を付与するスプリングとを備えている、請求項５に記載の漏洩磁界による携帯電話の誤作動を防止する携帯電話用外部スピーカ。
【請求項７】
外部スピーカの上部ケースの上面には固定溝が形成され、保護キャップのケース底面には固定溝との結合のための固定突起が形成されている、請求項５に記載の漏洩磁界による携帯電話の誤作動を防止する携帯電話用外部スピーカ。
【請求項８】
保護キャップのケース上端には連結手段との結合のための連結構造が形成されている、請求項５に記載の漏洩磁界による携帯電話の誤作動を防止する携帯電話用外部スピーカ。
【発明の詳細な説明】
【技術分野】
【０００１】
本発明は、漏洩磁界による携帯電話の誤作動を防止する携帯電話用外部スピーカに関する。特に、本発明は携帯電話に耳を近づけなくても外部スピーカを通じて相手と通話が成り立ち、外部スピーカの漏洩磁界による通話遮断のような、携帯電話の誤作動を防止する携帯電話用外部スピーカに関する。
【背景技術】
【０００２】
一般的に、フォルダー型やスティック型から成った携帯電話は時間や空間にかかわらず通話が可能であるという特徴を有する。しかし、相手との通話のためには携帯電話を耳の近くに持って行かなければならないので、通話のためには一般電話と同様に片手で携帯電話を持っていなければならない。
このような不便を解消するために、従来にはハンズフリー(hands-free) 方式の携帯電話が開発された。これは相手と通話する時に片手で携帯電話を持たなくても良いという利点はあるが、 相手との通話のための音声を通話者以外の他人が聞くことができないという限界がある。
【０００３】
これを克服するために、携帯電話とは別に出力が大きい外部スピーカを構成し、これに携帯電話を連結して相手との通話が可能になるようにする製品が研究開発されたが、外部スピーカ内の磁石から漏洩した漏洩磁界が携帯電話内のホールセンサに加えられることで、相手と通話の途中で通話が遮断されるなどの問題が発生する。
【０００４】
言い換えれば、フォルダー型携帯電話の場合、一対のホールセンサと磁石が互いに対応するように内蔵されており、携帯電話は別途のキー操作無しでも携帯電話の開閉によって通話モードと待機モードに自動で切り換るようになる。すなわち、携帯電話はホールセンサに磁石の磁力が加えられると待機モードに切り換り、ホールセンサから磁石の磁力が除去されると通話モードに切り換るようになる。すなわち、通話中にホールセンサと一対を成す磁石やその他外部からホールセンサに磁力が加えられると通話が自動的に遮断される。勿論、携帯電話のモード設定によって携帯電話は多数のキーの中で通話キーを操作すれば通話モードまたは待機モードに切り換ることもある。
【発明の開示】
【発明が解決しようとする課題】
【０００５】
外部スピーカとフォルダー型携帯電話を一緒に携帯した状態で、相手との通話中に外部スピーカ内の磁石から漏洩した漏洩磁界が携帯電話のホールセンサに加えられると、外部入力が無いにもかかわらずホールセンサが作動して相手との通話が遮断されるなどの問題が生じる。
【０００６】
本発明の第１の目的は、携帯電話に耳を近づけなくても外部スピーカを通じて相手と通話が可能でありながら、外部スピーカの漏洩磁界による携帯電話の誤作動を防止する携帯電話用外部スピーカを提供することにある。
【０００７】
本発明の第２の目的は、外部スピーカに取り外し可能に接続された保護キャップを具備し、外部スピーカを使用しない時は、携帯電話と機械的及び電気的に結合されるコネクタなどを保護し、かつ外部スピーカの保管と携帯が容易な、漏洩磁界による携帯電話の誤作動を防止する携帯電話用外部スピーカを提供することにある。
【０００８】
本発明の第３の目的は、外部スピーカと保護キャップをフック方式で取り外し可能に接続された、漏洩磁界による携帯電話の誤作動を防止する携帯電話用外部スピーカを提供することにある。
【課題を解決するための手段】
【０００９】
本発明による携帯電話用外部スピーカは、上端にコネクタとの結合のための結合孔が形成され、内部にスピーカを内蔵するための空間を有し、側面にスピーカから出力される音声を出力するための音声出力口が形成された上部が狭く下部が広い円錐状のケースと、一部が外部に露出するように前記ケースの結合孔に結合され携帯電話と機械的及び電気的に取り外し可能に接続されるコネクタと、前記コネクタを通じて携帯電話の音声出力端と電気的に接続され相手との通話のための音声を出力し,前記ケースの内部に内蔵したスピーカ及び前記スピーカの上端及び/または下端に位置するように前記ケース内に配置され、前記スピーカから漏洩する漏洩磁界を遮断するための遮蔽板を含むことを特徴とする。
【００１０】
また本発明において、ケースは、上端にコネクタとの結合のための結合孔が形成され,内部に内蔵されたスピーカを支持するための支持部が内面下端に形成され、内面上端に前記スピーカの上端と一定の距離を有するように遮蔽板が付着した上部ケースと、前記上部ケースと連通されるように上部ケースの外周に結合され、前記上部ケースに内蔵されたスピーカの外周を固定させる固定突起が内向きに形成された中間ケース及び前記中間ケースとの間に音声出力のための音声出力口が形成されるように前記中間ケースの外周にドーム形状に結合され,内面に前記スピーカの下端と一定間隔の隔離距離を有するように遮蔽板が付着した下部ケースを備えているのが望ましい。
【００１１】
また本発明において、携帯電話から外部スピーカに出力される音声は、携帯電話の内部で一定レベルまで増幅された後に出力されるとよい。
【００１２】
また本発明において、遮蔽板は、スピーカから漏洩する漏洩磁界の流れを案内するための磁石よりなっているとよい。
また本発明において、上部ケースに形成された結合溝に取り外し可能に接続されたフックが内蔵され、 前記上部ケースの外部に露出したコネクタを内部に収納することができる収納溝を有する保護キャップがさらに具備されることが望ましい。
【００１３】
また本発明において、保護キャップは、フックの押さえ突起を外部に露出させるための露出孔が側面に形成されており、前記コネクタを内部に収納するための収納溝が下端面に形成されており、内部に収納されたコネクタを押さえるための振動防止部と前記フックを固定させるための固定部が内面に互いに異なる高さで水平に形成された円錐形状のケースと、前記上部ケースの結合溝との結合のための係止突起が端部に外向きに形成されており、外部からフックを作動させるための押さえ突起が側面に形成され、スプリングを固定するための固定突起が内面に形成された構造を有し、前記振動防止部を覆いながら前記係止突起が外部に露出するように前記固定部との間に設置されたフック及び前記フック内面の固定突起の間に挟まれ前記フックが側方向に伸びるように弾性を付与するスプリングから成り立つのが望ましい。
【００１４】
また本発明において、外部スピーカの上部ケースの上面には固定溝が形成され、保護キャップのケース底面には固定溝と係合するための固定突起が形成されることが望ましい。
また本発明において、保護キャップのケース上端には連結手段との結合のための連結構造が形成されることが望ましい。
【発明の効果】
【００１５】
したがって、本発明は携帯電話に耳を近づけなくても外部スピーカを通じて相手と通話ができ、相手との通話の途中に外部スピーカの漏洩磁界による通話遮断のような携帯電話の誤作動が生じない。
また本発明は、外部スピーカと取り外し可能に接続された、保護キャップを具備することで、外部スピーカを使用しない時には、携帯電話と機械的及び電気的に結合されたコネクタなどを保護し、かつ外部スピーカの保管と携帯が容易である。
【００１６】
本発明は、外部スピーカと保護キャップをフック方式で接続することで、外部スピーカを保護キャップから取り外すことが可能である。
【発明を実施するための最良の形態】
【００１７】
本発明による携帯電話用外部スピーカ(10)は、図示されていない携帯電話との機械的及び電気的な結合によって、相手と通話の時に受信される音声を携帯電話の外部に出力するためのものであって、図1〜図3に図示したように、上部が狭く下部が広い円柱形状を有し、外部スピーカ(10)のケース(11)側面には音声を出力するための多数の音声出力口(12)が形成されており、ケース(11)の上端には携帯電話と機械的及び電気的に取り外し可能に接続されるコネクタ(13)がその一部が外部に露出した状態で結合されている。勿論、外部スピーカ(10)の形状は前記したように円錐形状のみに限定されず、内部にスピーカを内蔵することができれば多様な形状に変形可能である。またケース(11)に形成された音声出力口(12)はケース(11)の側面だけではなく、ケース(11)の底面などにも多様な形態に形成されることができる。
【００１８】
保護キャップ(14)は、外部スピーカ(10)に取り外し可能に接続されていることにより、外部スピーカ(10)の保管及び携帯が容易なようにし、外部スピーカ(10)を使用しない時はコネクタ(13)を保護する。保護キャップ(14)は円錐形状から成ったものであって、上端にねじなどのような連結手段との結合のためのねじ孔(15)が形成されている。ここで、保護キャップ(14)のねじ孔(15)にねじのような連結手段を結合できるようにすることは、連結手段に別途の紐を延長させて保護キャップ(14)と一体型に結合される外部スピーカ(10)を携帯電話と一緒に保管及び携帯することができるようにするためである。
【００１９】
特に、保護キャップ(14)と連結手段との連結方法についてねじ結合のみを説明したが、本発明はこれに限らず、保護キャップ(14)の上端に水平に貫通孔を形成した後、これに紐のような連結手段を連結するなどのような多様な方法で互いを連結することによって、保護キャップ(14)と一体型に結合される外部スピーカ(10)を携帯電話と一緒に保管及び携帯することができる。
【００２０】
保護キャップ(14)は、外部スピーカ(10)と取り外し可能に接続されるフック(16)を有し、外部スピーカ(10)の上面にはフック(16)と結合のための結合溝(20)が形成されている。前記フック(16)の係止突起(17)は外部スピーカ(10)の結合溝(20)内に内蔵された状態で結合されるように保護キャップ(14)の下部に露出しており、保護キャップ(14)のケース(21)の側面に形成された露出孔(19)からは外部圧力を受けてフック(16)を作動させるための押さえ突起(18)が突出している。
【００２１】
ここで、外部スピーカ(10)を保護キャップ(14)に取り外し可能に接続される接続手段として１対のフック(16)を例として説明したが、本発明はこれに限らず、外部スピーカ(10)と保護キャップ(14)をねじ結合や挿し込みなどのような多様な方法により取り外し可能に接続できる。
【００２２】
外部スピーカ(10)のケース(11)の上面には多数の固定溝(22)が形成されており、保護キャップ(14)のケース(21)の底面には固定溝(22)に対応するように多数の固定突起(23)が形成されている。したがって、外部スピーカ(10)と保護キャップ(14)を取り外し可能に接続される時に、互いに正確な位置で係合するばかりでなく、一体型に結合された後にも外部から加えられる力によって外部スピーカ(10)または保護キャップ(14)が揺れないように互いに抑えるので、コネクタ(13)のような内部構成要素などの損傷が防止される。
【００２３】
図４は、本発明による外部スピーカ(10)と保護キャップ(14)を示した分解斜視図である。外部スピーカ(10)の骨組みとなるケース(11)は順次に積層して結合された上部ケース(24)、中間ケース(25)及び下部ケース(26)からなるものであり、上部は狭く下部は広い円錐形状を有する。
【００２４】
ケース(11)の内、上部ケース(24)は下方が開放された形態のものであって、コネクタ(13)を固定結合するための結合孔(27)が上端に形成され、内面下端には内部に装着されたスピーカ(28)を支持するための多数の支持部(29)が決まった高さで形成されており、内面上端には磁力を漏洩するスピーカ(28)の上端と一定の距離を有するように、磁石からなる遮蔽板(30)が付着している。
【００２５】
すなわち、スピーカ(28)内の磁石から漏洩して携帯電話内のホールセンサに影響を及ぼす磁力が遮蔽板(30)に伝わって流れ再度スピーカ(28)に流入されるように一つの磁界回路を構成することで、スピーカ(28)内の磁石から漏洩した漏洩磁界により携帯電話のホールセンサが誤作動することを防止することができる。すなわち、使用していない外部スピーカ(10)内の磁石から漏洩する漏洩磁界によって通話が遮断されるのを防ぐことができる。
【００２６】
またフック(16)の係止突起(17)との結合のための結合溝(20)が形成された上部ケース(24)の内面には結合溝(20)と一定間隔に離隔されるように遮断壁(39)が熱溶着などのような方法で結合されているが、これはフック(16)の係止突起(17)との結合のための空間を提供すると同時に、遮蔽板(30)をスピーカ(28)と一定距離に離隔して付着するための空間を提供するためのものである。
【００２７】
またケース(11)の内、中間ケース(25)は上部ケース(24)と連通されるように上部ケース(24)の外周に結合されるが、これは上部ケース(24)に内蔵されたスピーカ(28)の外周を固定させることができるように固定突起(31)が内向きに形成されている。
【００２８】
言い換えれば、上部ケース(24)内にスピーカ(28)を内蔵した後、上部ケース(24)の外周に中間ケース(25)を結合することで、スピーカ(28)が上部ケース(24)と中間ケース(25)の間に固定されるようになるのである。
【００２９】
ケース(11)の内、下部ケース(26)は下端部がドーム形状を有するものであって、中間ケース(25)との間に音声出力のための多数の音声出力口(12)が形成されるように中間ケース(25) 外周に結合されており、内面にスピーカ(28)の下端と一定の距離を有するように板形状の遮蔽板(32)が付着している。
この場合にも、上部ケース(24)と同様にスピーカ(28)内の磁石から漏洩して携帯電話内のホールセンサに影響を及ぼす磁力が遮蔽板(32)に伝わって流れ再度スピーカ(28)に流入されるように１つの磁界回路を構成することで、スピーカ(28)の磁石から漏洩した漏洩磁界による、携帯電話のホールセンサの誤作動を防止することができる。
【００３０】
この実施例では、漏洩磁界の流れを遮断するための遮蔽板(30)(32)がスピーカ(28)の上部を覆うことができる上部ケース(24)とスピーカ(28)の下部を覆うことができる下部ケース(26)の内面に設置されたものを例として説明したが、本発明はこれに限らず、携帯電話内のホールセンサが Ｎ極あるいはＳ極の磁力によって作動するかによって、スピーカ(28)から漏洩する磁力の中で該当の極性を有する磁力が漏洩する位置にのみ遮蔽板を設置しても良い。
【００３１】
上部ケース(24)の結合孔(27)にその一部が外部に露出するように結合されているコネクタ(13)は、図示されていない携帯電話と、機械的及び電気的に取り外し可能に接続され、相手と通話をする時に相手から受信される音声がスピーカ(28)に電送されるようにするものであって、中間ケース(25)と下部ケース(26)の間に結合されたスピーカ(28)と電気的に連結している。
【００３２】
この時、図示されていない携帯電話からコネクタ(13)を通じてスピーカ(28)に電送される音声は、携帯電話のモードによって携帯電話の内部で外部スピーカ(10)を駆動させることができる位のレベルまで増幅された後に出力されることが望ましい。
【００３３】
勿論、音声を増幅するための増幅手段を外部スピーカ(10)に内蔵することもできるが、しかしこの場合は、外部スピーカ(10)の容積が大きくなり、増幅手段に別途の電源を供給しなければならないという不便がある。
【００３４】
前記したように、上部ケース(24)の上面に結合溝(20)が形成されており、上部ケース(24)の外部に露出したコネクタ(13)を内部に収納するための収納溝(33)が形成された保護キャップ(14)にフック(16)が内蔵されており、外部スピーカ(10)の上部に保護キャップ(14)を取り外し可能に接続することができるので、コネクタ(13)を含む外部スピーカ(10)を保護することができるだけでなく、外部スピーカ(10)の保管及び携帯が容易である。
【００３５】
保護キャップ(14)の外被を成すケース(21)は左右が独立して成形された後に一体型に結合された円錐形状のケースであり、フック(16)の押さえ突起(18)を外部に露出させるための２つの露出孔(19)が側面に互いに対称に形成されており、コネクタ(13)を内部に収納するための収納溝(33)が下端面に形成されており、内部に収納されたコネクタ(13)を押さえるための振動防止部(34)とフック(16)を固定させるための固定部(35)がケース(21) 内面の両側面から互い対向し、互いに異なる高さで水平且つ一定距離まで隣接して形成されている。ここで、振動防止部(34)と固定部(35)の水平隔離距離はコネクタ(13)の厚さとフック(16)上端の幅によって決まる。
【００３６】
ケース(21)に内蔵したフック(16)は上部ケース(24)の結合溝(20)との結合のための係止突起(17)が下端部に外向きに形成されており、外部でフック(16)を作動させるための押さえ突起(18)が側面に形成されており、スプリング(36)を固定するための固定突起(37)が内面に対応するように形成された構造を有するものであって、図５と同様に係止突起(17)が外部に露出するように振動防止部(34)を覆いながら固定部(35)の間に設置されている。
【００３７】
ここで、フック(16)自体を弾性材料で作るとよい。更に、フック(16)内面の固定突起(37)の間にスプリング(36)を挟んでフック(16)が側方向に伸びるように弾性を付与するのが望ましい。
【００３８】
図６及び図７は外部スピーカ(10)と保護キャップ(14)の結合状態を示したものであって、フック(16)の係止突起(17)が結合溝(20)に位置するように外部スピーカ(10)上に保護キャップ(14)を乗せて上から押すと、フック(16)の係止突起(17)が結合溝(20)に結合されながら外部スピーカ(10)と保護キャップ(14)が一体型に結合される。この時、外部スピーカ(10)のコネクタ(13)は保護キャップ(14)の収納溝(33)に収納されて安全な状態が維持される。
【００３９】
特に、フック(16)の係止突起(17)と結合溝(20)との結合状態がフック(16)自らの弾性とスプリング(36)の弾性によって維持されるので、外部から加えられる衝撃にもかかわらず一体型に結合された外部スピーカ(10)と保護キャップ(14)が分離しない。
【００４０】
反対に、結合溝(17)にフック(16)の係止突起(17)が結合された状態で、フック(16)の押さえ突起(18)を押すと、フック(16)の係止突起(17)が中側へ押されながら結合溝(20)から離脱し外部スピーカ(10)と保護キャップ(14)が分離するようになる。
【００４１】
特に、ケース(21)の露出孔(19)に露出した押さえ突起(18)がケース(21)の表面より高く突き出ないように構成することで、使用者が所望しない時点で押さえ突起(18)に衝撃や圧力が加えられて外部スピーカ(10)と保護キャップ(14)が分離することを防止することができる。
【００４２】
図８は相手との通話のために携帯電話(38)に外部スピーカ(10)を装着した状態を示したものであって、携帯電話(38) で一定レベルまで増幅された音声が外部スピーカ(10)を通じて外部に出力されることで、使用者は携帯電話(38)に耳を近づけなくても相手と通話ができる。
【００４３】
図９は携帯電話(38)と一体型に結合された外部スピーカ(10)及び保護キャップ(14)の保管及び携帯した状態を示したものであって、携帯電話(38)と一緒に一体型に結合された外部スピーカ(10)と保護キャップ(14)の保管及び携帯が容易なだけでなく、いつでもどこでも保護キャップ(14)から外部スピーカ(10)を分離した後に携帯電話(38)に装着して相手と通話ができる。
【００４４】
勿論、携帯電話(38)に外部スピーカ(10)を装着しなくても通話は可能である。この時、外部スピーカ(10) 内のスピーカを構成する磁石から漏洩する磁界が遮蔽板によって遮断され外部に漏洩しないので、漏洩磁界が携帯電話のホールセンサの動作に影響を与えず、通話が途中で遮断されない。
【産業上の利用可能性】
【００４５】
本発明によれば、携帯電話用外部スピーカは、移動通信用端末機のひとつである携帯電話と共に使うことができるものであって、現在個人用としてのみ使用している携帯電話を、会議や多者間通話のために利用する時に相手の音声を増幅するのに有用に活用することができる。
【図面の簡単な説明】
【００４６】
【図１】本発明による携帯電話用外部スピーカと保護キャップが一体型に結合された状態を示した斜視図である。
【図２】本発明による携帯電話用外部スピーカとこれに結合される保護キャップを示した斜視図である。
【図３】本発明による携帯電話用外部スピーカとこれに結合される保護キャップを示した斜視図である。
【図４】本発明による外部スピーカと保護キャップを示した分解斜視図である。
【図５】本発明による外部スピーカと保護キャップが一体型に結合された状態で,保護キャップの一部が除去された状態を示した斜視図である。
【図６】本発明による外部スピーカと保護キャップの結合状態を示した断面図である。
【図７】本発明による外部スピーカと保護キャップの結合状態を示した断面図である。
【図８】相手との通話のために携帯電話に外部スピーカを装着して使用した状態を示した斜視図である。
【図９】携帯電話と本発明による外部スピーカ及び保護キャップの保管及び携帯状態を示した斜視図である。
【符号の説明】
【００４７】
10 外部スピーカ
11,21 ケース
12 音声出力口
13 コネクタ
14 保護キャップ
15 ねじ孔
16 フック
17 係止突起
18 押さえ突起
19 露出孔
20 結合溝
22 固定溝
23,31,37 固定突起
24 上部ケース
25 中間ケース
26 下部ケース
27 結合孔
28 スピーカ
29 支持部
30,32 遮蔽板
33 収納溝
34 振動防止部
35 固定部
36 スプリング
38 携帯電話
【図１】
2006042295.tif 000003
【図２】
2006042295.tif 000004
【図３】
2006042295.tif 000005
【図４】
2006042295.tif 000006
【図５】
2006042295.tif 000007
【図６】
2006042295.tif 000008
【図７】
2006042295.tif 000009
【図８】
2006042295.tif 000010
【図９】
2006042295.tif 000011